(57)【特許請求の範囲】
【請求項１】
容器本体（１０）と、前記容器本体（１０）の一側にヒンジ結合されて開閉される容器蓋（２０）とを含んでなるコンパクト容器であって、
前記容器本体（１０）の内部の一側に装着され、中央に、内周面が垂直方向に延びるようにポンプ装着部（３２）が形成され、前記ポンプ装着部（３２）の外周縁の一側に、水平方向に内容物流入口（３４）が形成された内容物排出フレーム（３０）と；
前記内容物排出フレーム（３０）の内容物流入口（３４）に、水平に装着される内容物保存容器（４０）と；
前記内容物排出フレーム（３０）のポンプ装着部（３２）に、垂直に装着されて内容物をポンピングするポンプ（５０）と；
前記ポンプ（５０）の上部に結合され、上面に排出流路（６２）が形成された分配板（６０）と；
前記分配板（６０）の上部に形成され、多数の排出口（７１）が形成された排出板（７０）と；
前記内容物排出フレーム（３０）に、その上方から結合されて、前記内容物排出フレーム（３０）及び内容物保存容器（４０）を固定させる固定部材（８０）と、を含んでなり、
前記内容物保存容器（４０）の一側に、リング状の注入口（４２）が形成されており、前記内容物流入口（３４）もリング状であり、前記注入口（４２）と前記内容物流入口（３４）とが、水平方向に互いに嵌め合わされて、着脱可能に結合されており、
ポンプ（５０）は、ポンプ装着部（３２）における前記内周面の内側に収納されており、固定部材（８０）の床面の壁が、内容物保存容器（４０）の天井面の壁に接していることを特徴とする、ポンプの側面に水平に内容物保存容器が結合されたコンパクト容器。
【請求項２】
前記注入口（４２）及び前記内容物流入口（３４）の一方に形成されたリング状突出部が、他方に形成された内側延長リング状突起（３４２）と外側延長リング状突起（３４４）との間に嵌め込まれた、請求項１に記載のポンプの側面に水平に内容物保存容器が結合されたコンパクト容器。
【請求項３】
前記リング状突出部の外周面に形成されたリング状突起（４２２）が、外側延長リング状突起（３４４）の内周面に形成された装着溝（３４６）に結合された、請求項１または２に記載のポンプの側面に水平に内容物保存容器が結合されたコンパクト容器。
【請求項４】
前記内容物排出フレーム（３０）におけるポンプ装着部（３２）の外側には、十字形のガイド凹部（３６）が形成され、前記分配板（６０）には下側へと十字形のガイド突起（６６）が延長形成されて、前記ガイド凹部（３６）に挿入されることを特徴とする、請求項１〜３のいずれかに記載のポンプの側面に水平に内容物保存容器が結合されたコンパクト容器。
【請求項５】
前記分配板（６０）における排出流路（６２）の外側には密閉溝（６４）が形成され、前記密閉溝（６４）にて密閉リング（６８）が挟み込まれ、前記密閉リング（６８）は、ゴムリング又は両面テープから形成されることを特徴とする、請求項１〜３のいずれかに記載のポンプの側面に水平に内容物保存容器が結合されたコンパクト容器。
【請求項６】
前記固定部材（８０）の上部には、排出板（７０）を露出させる排出板ホール（８２）と、パフ（Ｐ）が内蔵されるパフ内蔵空間（８４）とが形成されており、
パフ内蔵空間（８４）の床面の壁が、内容物保存容器（４０）の天井面の壁に接していることを特徴とする、請求項１〜３のいずれかに記載のポンプの側面に水平に内容物保存容器が結合されたコンパクト容器。
【請求項７】
前記排出板（７０）と固定部材（８０）との間には、固定具（９０）がさらに形成されることを特徴とする、請求項１〜３のいずれかに記載のポンプの側面に水平に内容物保存容器が結合されたコンパクト容器。
【発明の詳細な説明】
【技術分野】
【０００１】
本発明は、ポンプの側面に、水平に内容物保存容器が結合されたコンパクト容器に関するものであり、より詳しくは、(i)容器蓋がヒンジ結合された容器本体と、(ii)中央にポンプ装着部が形成され、前記ポンプ装着部の外周縁の一側に、水平方向に内容物流入口が形成された内容物排出フレームと、(iii)前記ポンプ装着部に、垂直に装着されるポンプと、(iv)前記ポンプの上部に形成される排出板と、(v)前記内容物流入口に水平に装着される内容物保存容器と、(vi)パフ内蔵空間が上部に形成され、前記内容物排出フレームと内容物保存容器を容器本体に固定させる固定部材とからなり、前記垂直に装着されたポンプに内容物保存容器が水平に結合されることにより、ポンプ設置空間と内容物保存容器設置空間とが分離されて多くの量の内容物を保存することができる、ポンプの側面に水平に内容物保存容器が結合されたコンパクト容器に関する。
【背景技術】
【０００２】
色調化粧品とは、顔つきを美しく変化させて皮膚を美しく演出しようとする目的で使われるものであり、皮膚色を均一にし、欠点をカバーするために使うベースメーキャップと、唇、目、爪などに対して部分的に立体感を高めるポイントメーキャップとに区分される。ベースメーキャップには、メーキャップベース、ファウンデーション、パウダーなどが含まれ、ポイントメーキャップには、リップスティック、アイライナー、マスカラなどが含まれている。
【０００３】
前記ファウンデーションは、化粧料の形態によって、固形ファウンデーション、液状ファウンデーション、ゲル状ファウンデーションに区分されるのであり、固形ファウンデーションの場合、カバー力は高いが修正化粧時に凝集するという欠点があり、液状ファウンデーションの場合、密着感は良いが持続力が弱いという欠点がある。よって、近年には、相当な持続力を有するとともに皮膚に塗布する際の密着感に優れた、ゲル状ファウンデーションを好む消費者が多くなった。
【０００４】
したがって、ゲル状ファウンデーションの容器の開発も必要になったのであるが、一般的には、ゲル状ファウンデーションをガラス容器又はチューブ容器に充填して使用する際、使用者が手に取ったり、絞り出したりして、パフ又は手で皮膚に塗布するという方式が用いられた。
【０００５】
しかし、従来技術では、使用者が使用する時ごとに手に化粧料がくっ付くことになるため、毎度手を洗わなければならないという使用上の不便な問題点があり、このように化粧料が付いた手を洗うことによって、化粧料に損失が生じるという問題点があった。
【０００６】
前記のような問題点を解決するために、図１に示すように、大韓民国登録実用新案第２０−０４７３９６７号が開示されている。これは、化粧品用コンパクト容器に関するものであり、容器本体内に内容器が内蔵され、前記内容器の内部に、化粧料が含浸されたスポンジが保存され、内容器の上部に内容器蓋がヒンジ結合されるのであり、前記内容器蓋の上部にコンパクト蓋が形成されて前記容器本体とヒンジ結合されることにより、前記内容器蓋を開けて、内容器内部のスポンジに含浸された化粧料を、パフに付けて皮膚に塗布するようにすることで、化粧料を手に付けずに容易に使用できるようにしたものである。
【０００７】
しかし、前記従来技術では、化粧料が内容器の外部に露出されるときに、揮発性原料が揮発して化粧料がかちかちに固まるなど、本来の機能を失うことになるという問題点があったのであり、また、パフに化粧料を付けるときに定量使用を行うことが難しくて化粧料が浪費されるという問題点があった。
【０００８】
前記のような問題点を解決するために、本出願人は、図２に示すように、大韓民国登録実用新案第２０−０４７６２３９号を開示した。これは、ポンプが内蔵されたコンパクト容器に関するものであって、容器内に内容器が内蔵され、前記内容器内に化粧料が保存されており、前記内容器を覆うカバーが、内容器の内側に設けられて内容器を密閉させるのであり、前記内容器の中央にポンプが取り付けられるとともに、前記ポンプの上部にポンプ作動板が取り付けられることにより、前記ポンプ作動板を押した際に、ポンプが作動して、内容器内の化粧料がポンプ作動板のホールを通じて定量吐出がなされるのであり、化粧料の揮発性原料が空気中に揮発することを防止するようにしたものである。
【０００９】
しかし、前記従来技術では、ポンプが、容器本体の中央に位置することで、内容器内に化粧料を保存する空間が狭くなるため、化粧料を短期間しか使えないという問題点があった。
【００１０】
また、前記従来技術では、化粧料が保存された内容器の上部に、カバーが、分解不能に密閉されているため、使用者が化粧料を全部使った後には、内容物をリフィルすることができず、コンパクト全体を廃棄しなければならないので、購買単価が上昇するという問題点があった。
【００１１】
また、前記コンパクト容器では、パフを内蔵するために、ポンプ作動板上にパフ内蔵空間を備えなければならないため、コンパクト容器の厚さが厚くなって携帯が不便であり、美観も良くないという問題点があった。
【００１２】
また、前記コンパクト容器では、容器本体内に内容器が組み付けられ、内容器内に化粧料が注入された後、さらに、内容器にカバーが組み付けられるという過程を経るため、コンパクト容器の製造工程の過程が非効率的であるという面があった。
【発明の概要】
【発明が解決しようとする課題】
【００１３】
本発明は、前記のような問題点を解決するために案出されたものであって、(i)容器蓋がヒンジ結合された容器本体と、(ii)中央にポンプ装着部が形成され、前記ポンプ装着部の外周縁の一側に、水平方向に内容物流入口が形成された内容物排出フレームと、(iii)前記ポンプ装着部に、垂直に装着されるポンプと、(iv)前記ポンプの上部に形成される排出板と、(v)前記内容物流入口に、水平に装着される内容物保存容器と、(vi)パフ内蔵空間が上部に形成され、前記内容物排出フレームと内容物保存容器を容器本体に固定させる固定部材とからなり、前記垂直に装着されたポンプに内容物保存容器が、水平に結合されることにより、ポンプ設置空間と内容物保存容器設置空間とが分離されて多くの量の内容物を保存することができる、ポンプの側面に水平に内容物保存容器が結合されたコンパクト容器を提供することに目的がある。
【００１４】
また、前記内容物排出フレームからの内容物保存容器の結合及び分離を容易に行えるように形成することで、内容物を全部使った内容物保存容器についてのリフィルが容易である、ポンプの側面に水平に内容物保存容器が結合されたコンパクト容器を提供することに目的がある。
【００１５】
また、前記固定部材のパフ内蔵空間を、前記内容物保存容器と固定部材との間の空間に、窪（くぼ）み込むように形成してパフを内蔵することによって、コンパクト容器の厚さを最小化して携帯が便利である、ポンプの側面に水平に内容物保存容器が結合されたコンパクト容器を提供することに目的がある。
【００１６】
また、前記内容物保存容器に内容物を充填する工程と、部品を組み付ける工程とを分離させることで、内容物の注入が完了した内容物保存容器を、部品の組付けの際に一緒に組み立てることにより、コンパクト容器を製造する工程ステップを効率的に分業することで生産性を向上させた、ポンプの側面に水平に内容物保存容器が結合されたコンパクト容器を提供することに目的がある。
【課題を解決するための手段】
【００１７】
本発明は、容器本体１０と、前記容器本体１０の一側にヒンジ結合されて開閉される容器蓋２０とから形成されるコンパクト容器であって、
前記容器本体１０の内部の一側に装着され、中央に、垂直方向にポンプ装着部３２が形成され、前記ポンプ装着部３２の外周縁の一側に、水平方向に内容物流入口３４が形成された内容物排出フレーム３０と；
前記内容物排出フレーム３０の内容物流入口３４に、水平に装着される内容物保存容器４０と；
前記内容物排出フレーム３０のポンプ装着部３２に、垂直に装着されて内容物をポンピングするポンプ５０と；
前記ポンプ５０の上部に結合され、上面に排出流路６２が形成された分配板６０と；
前記分配板６０の上部に形成され、多数の排出口７１が形成された排出板７０と；
前記内容物排出フレーム３０及び内容物保存容器４０の上部に結合されて、前記内容物排出フレーム３０及び内容物保存容器４０を固定させる固定部材８０とを、含んでなることを特徴とする、ポンプの側面に、水平に内容物保存容器が結合されたコンパクト容器を提供する。
【００１８】
また、前記内容物排出フレーム３０におけるポンプ装着部３２の外側には、十字形のガイド凹部３６が形成され、前記分配板６０には下側へと十字形のガイド突起６６が延長形成されて、前記ガイド凹部３６に挿入されることを特徴とする。
【００１９】
また、前記分配板６０における排出流路６２の外側には密閉溝６４が形成されており、前記密閉溝６４にて密閉リング６８が挟み込まれるのであって、前記密閉リング６８はゴムリング又は両面テープから形成されるのでありうる。
【００２０】
また、前記排出板７０と固定部材８０との間には、分配板６０と排出板７０とが左右に動けないように保持する固定具９０が、さらに形成されることを特徴とする。
【００２１】
また、前記固定部材８０の上部には、排出板７０を露出させる排出板ホール８２と、パフＰが内蔵されるパフ内蔵空間８４とが形成されることを特徴とする。
【発明の効果】
【００２２】
前記本発明による、ポンプの側面に、水平に内容物保存容器が結合されたコンパクト容器は、容器蓋がヒンジ結合された容器本体と、中央に、ポンプ装着部が形成され、前記ポンプ装着部の外周縁一側に、水平方向に内容物流入口が形成された内容物排出フレームと、前記ポンプ装着部に、垂直に装着されるポンプと、前記ポンプの上部に形成される排出板と、前記内容物流入口に、水平に装着される内容物保存容器と、パフ内蔵空間が上部に形成され、前記内容物排出フレームと内容物保存容器を容器本体に固定させる固定部材とからなり、前記垂直に装着されたポンプに、内容物保存容器が水平に結合されることにより、ポンプ設置空間と、内容物保存容器設置空間とが分離されて、多くの量の内容物を保存することができる、ポンプの側面に、水平に内容物保存容器が結合されたコンパクト容器を提供するという効果がある。
【００２３】
また、前記内容物排出フレームからの内容物保存容器の結合及び分離を容易に行えるように形成することで、内容物を全部使った内容物保存容器のリフィルが容易である、ポンプの側面に、水平に内容物保存容器が結合されたコンパクト容器を提供するという効果がある。
【００２４】
また、前記固定部材のパフ内蔵空間を、前記内容物保存容器と固定部材との間の空間に窪み込むように設けてパフを内蔵することによって、コンパクト容器の厚さを最小化して、携帯が便利である、ポンプの側面に水平に内容物保存容器が結合されたコンパクト容器を提供するという効果がある。
【００２５】
また、前記内容物保存容器に内容物を充填する工程と、部品を組み付ける工程とを分離させることで、内容物の注入が完了した内容物保存容器を、部品の組付け時に一緒に組み付けることにより、コンパクト容器の製造工程ステップを効率的に分業して、生産性を向上させた、ポンプの側面に、水平に内容物保存容器が結合されたコンパクト容器を提供するという効果がある。
【図面の簡単な説明】
【００２６】
【図１】従来のコンパクト容器を示す図である。
【図２】従来の、均一な化粧液吐出機能を有するコンパクト容器を示す図である。
【図３】本発明による、ポンプの側面に、水平に内容物保存容器が結合されたコンパクト容器についての斜視図である。
【図４】本発明による、ポンプの側面に、水平に内容物保存容器が結合されたコンパクト容器についての分解斜視図である。
【図５】本発明による、ポンプの側面に、水平に内容物保存容器が結合されたコンパクト容器についてのＡ−Ａ線に沿った断面図である。
【図６】本発明による、ポンプの側面に、水平に内容物保存容器が結合されたコンパクト容器についてのＢ−Ｂ線に沿った断面図である。
【図７】本発明による、ポンプの側面に、水平に内容物保存容器が結合されたコンパクト容器についての、排出板を押圧する様子を示す、Ａ−Ａ線に沿った断面図である。
【図８】本発明による、ポンプの側面に、水平に内容物保存容器が結合されたコンパクト容器についての、押圧が解除された様子を示す、Ａ−Ａ線に沿った断面図である。
【発明を実施するための形態】
【００２７】
本発明による、ポンプの側面に、水平に内容物保存容器が結合されたコンパクト容器の実施例を、添付図面に基づいて説明するとするならば、次のとおりである。
【００２８】
図３は、本発明による、ポンプの側面に、水平に内容物保存容器が結合されたコンパクト容器の斜視図であり、図４は、本発明によるポンプの側面に水平に内容物保存容器が結合されたコンパクト容器の分解斜視図であり、図５は、本発明によるポンプの側面に水平に内容物保存容器が結合されたコンパクト容器についてのＡ−Ａ線に沿った断面図であり、図６は、本発明によるポンプの側面に水平に内容物保存容器が結合されたコンパクト容器についてのＢ−Ｂ線に沿った断面図である。
【００２９】
本発明による、ポンプの側面に水平に内容物保存容器が結合されたコンパクト容器は、(i)容器本体１０と、(ii)前記容器本体１０の一側にヒンジ結合されて開閉される容器蓋２０とを含んでなるコンパクト容器であって、
【００３０】
(iii)前記容器本体１０の内部の一側に装着され、中央に、垂直方向にポンプ装着部３２が形成され、前記ポンプ装着部３２の外周縁一側に、水平方向に内容物流入口３４が形成された内容物排出フレーム３０と；(iv)前記内容物排出フレーム３０の内容物流入口３４に、水平に装着される内容物保存容器４０と；(v)前記内容物排出フレーム３０のポンプ装着部３２に、垂直に装着され、内容物をポンピングするポンプ５０と；(vi)前記ポンプ５０の上部に形成され、上面に排出流路６２が形成された分配板６０と；(vii)前記分配板６０の上部に結合され、多数の排出口７１が形成された排出板７０と；(viii)前記内容物排出フレーム３０及び内容物保存容器４０の上部に結合され、前記内容物排出フレーム３０及び内容物保存容器４０を固定させる固定部材８０と、を含んでなることを特徴とする。
【００３１】
前記容器本体１０の内部には、内容物排出フレーム３０と内容物保存容器４０とが収容される。
【００３２】
前記容器本体１０の内部の底面１２には、前記内容物排出フレーム３０が装着されるフレーム装着凹部１４と、前記内容物保存容器４０が装着される保存容器装着孔１６とが、それぞれ形成される。
【００３３】
前記容器本体１０の内周面には、固定部材８０と結合される多数の結合突起１８が突出形成される。
【００３４】
前記容器蓋２０は、容器本体１０の一側にヒンジ結合されて前記容器本体１０を開閉する。
【００３５】
前記内容物排出フレーム３０は、容器本体１０のフレーム装着凹部１４に装着されるのであって、内容物保存容器４０とポンプ５０とが結合されることで、ポンプ５０の作動時に、内容物保存容器４０から内容物が排出されるように、内容物保存容器４０とポンプ５０を連結する役割を果たす。
【００３６】
前記内容物排出フレーム３０の中央には、垂直方向にポンプ装着部３２が形成されており、前記ポンプ装着部３２の外周縁の一側には、水平方向に内容物流入口３４が形成される。
【００３７】
前記ポンプ装着部３２の内周縁には、ポンプ装着溝３２２が形成されることで、ポンプ５０が固定結合される。
【００３８】
前記内容物流入口３４は、内側延長リング状突起３４２と、前記内側延長リング状突起３４２の外側に一定間隔で離隔して形成された外側延長リング状突起３４４とから形成されるのであり、前記外側延長リング状突起３４４の内周縁には、保存容器装着溝３４６が形成されることで、内容物保存容器４０が着脱可能に結合される。
【００３９】
前記内容物排出フレーム３０におけるポンプ装着部３２の外側には、十字形のガイド凹部３６が形成される。
【００４０】
前記内容物排出フレーム３０の外周面には、固定部材８０と結合される多数の装着凹部３８が形成される。
【００４１】
前記内容物保存容器４０は、内部に内容物が収容され、前記内容物排出フレーム３０の内容物流入口３４に、水平に装着される。
【００４２】
前記内容物保存容器４０の一側には、内容物が注入される注入口４２が形成されており、前記注入口４２の内周縁は、内容物流入口３４における内側延長リング状突起３４２の外周縁と密着されるのであり、注入口４２の外周縁には、保存容器装着リング状突起４２２が形成されることで、前記内容物流入口３４の保存容器装着溝３４６に結合される。
【００４３】
前記内容物保存容器４０における他側には下部キャップ４４が結合されており、内部には、内容物を使い果たしていくにつれて移動して、内容物を集める押圧板４６が形成される。
【００４４】
また、前記内容物保存容器４０は、パウチ容器の形態にも形成されうる。パウチ容器の形態に形成される場合、ポンピング時に容易に潰れるように、柔軟な素材のフィルムから形成されるのであって、前記フィルムは、ＰＥＴ（Ｐｏｌｙｅｔｈｙｌｅｎｅ  ｐｈｔｈａｌａｔｅ）樹脂、ポリエチレン（ｐｏｌｙｅｔｈｙｌｅｎｅ）、ポリプロピレン（ｐｏｌｙｐｒｏｐｙｌｅｎｅ）、熱可塑性エラストマー（ｅｌａｓｔｏｍｅｒ）のうちのいずれか１つ以上の材質から形成されることが好ましい。
【００４５】
前記ポンプ５０は、内容物排出フレーム３０のポンプ装着部３２に、垂直に装着され、内容物保存容器４０の内部に収容された内容物をポンピングする。
【００４６】
すなわち、前記内容物排出フレーム３０のポンプ装着部３２に、ポンプ５０が垂直に装着され、前記ポンプ５０に内容物保存容器４０が水平に結合されることにより、ポンプ設置空間と、内容物保存容器設置空間とが分離されるので、コンパクト容器に多くの量の内容物を保存することができるのであり、また、内容物保存容器のサイズを変形して結合することもできる。
【００４７】
前記ポンプ５０は、前記ポンプ装着部３２の内部に挿入され、内容物吸入孔５８が形成されたシリンダー５１と、前記内容物吸入孔５８を選択的に開閉するチェックバルブ５２と、前記シリンダー５１の上部に結合されてシリンダー５１の内部を密閉する密閉部材５３と、前記シリンダー５１の内側に形成されるピストン５４と、前記ピストン５４の外側に嵌め合わされてシリンダー５１の内側面に密着するピストンリング５５と、前記ピストン５４の上部に結合されて上下に移動する上下移動部材５６と、前記上下移動部材５６を弾性的に支持する弾性部材５７とから形成される。
【００４８】
前記シリンダー５１の下部には、内容物保存容器４０の内部に収容された内容物が、ポンプ５０の内部に移動するように、内容物移動通路５１４が形成されており、シリンダー５１の上部外周縁には、ポンプ装着突起５１２が形成されて、前記ポンプ装着部３２のポンプ装着溝３２２に固定結合される。
【００４９】
前記上下移動部材５６の上部には、分配板６０が結合される分配板結合溝５６２が形成される。
【００５０】
前記分配板６０は、ポンプ５０の上部に結合されて内容物を拡散させる。
【００５１】
前記分配板６０の上面には、ポンピングされた内容物が排出される排出通路６１が形成され、また、前記排出通路６１と連通して内容物を拡散させる排出流路６２が形成される。
【００５２】
前記分配板６０における排出流路６２の外側には、密閉溝６４が形成され、前記密閉溝６４に密閉リング６８が嵌め込まれる。
【００５３】
前記密閉リング６８は、ゴムリング又は両面テープから形成されうるのであり、分配板６０と排出板７０との間を密閉させたり接着させたりする役割を果たす。
【００５４】
前記分配板６０の下面中央には、分配板結合リング状突起６８が下側へと延長形成されて、前記上下移動部材５６の分配板結合溝５６２に挿入される。
【００５５】
前記分配板結合リング状突起６８の外側には、分配板６０が垂直に移動するように案内する十字形のガイド突起６６が延長形成されて、前記内容物排出フレーム３０のガイド凹部３６に挿入される。
【００５６】
前記排出板７０は、分配板６０の上部に接着テープによって取り付けられ、多数の排出口７１が形成される。
【００５７】
前記固定部材８０は、内容物排出フレーム３０及び内容物保存容器４０の上部に結合されることで、前記内容物排出フレーム３０及び内容物保存容器４０を固定させる役割を果たす。
【００５８】
前記固定部材８０の上部には、排出板７０を露出させる排出板ホール８２と、パフＰが内蔵されるパフ内蔵空間８４とが形成される。
【００５９】
前記排出板ホール８２の外側には離脱防止部８２２が内側に突設されて排出板７０が離脱することを防止する。
【００６０】
前記パフ内蔵空間８４は、内容物保存容器４０の上部に位置し、容器本体１０の内側に凹んでいる形態に形成される。
【００６１】
前記固定部材８０の外周面には、多数の結合凹部８６または結合溝が形成されて前記容器本体１０の結合突起１８と結合され、内周面には多数の装着突起８８が形成されて前記内容物排出フレーム３０の装着凹部３８または装着溝に結合される。
【００６２】
前記排出板７０と固定部材８０との間には、分配板６０と排出板７０が左右に動けないように保持する固定具９０がさらに形成される。
【００６３】
前記固定具９０は、固定部材８０の排出板ホール８２と対応するように、方形フレームの形態に形成される。
【００６４】
前記固定具９０は、中央の側へと延長形成されて排出板７０が離脱することを防止する内側延長片９２と、前記内側延長片９２の下方に延長形成されて排出板７０を取り囲む第１下部延長片９４と、前記第１下部延長片９４の下方に延長形成されて分配板６０を取り囲む第２下部延長片９６とから形成される。
【００６５】
前記第２下部延長片９６の上端は、固定部材８０の離脱防止部８２２に密着する。
【００６６】
このように構成された、ポンプの側面に、水平に内容物保存容器が結合されたコンパクト容器の組立方法について説明するならば、次のとおりである。
【００６７】
本発明による、ポンプの側面に、水平に内容物保存容器が結合されたコンパクト容器を組み立てるためには、まず、図４及び図５に示すように、内容物排出フレーム３０のポンプ装着部３２に、ポンプ５０を垂直に取り付ける。
【００６８】
次いで、前記内容物保存容器４０の内部に、内容物を注入し、前記内容物保存容器４０の注入口４２を、内容物排出フレーム３０の内容物流入口３４に、水平に装着するとともに、前記注入口４２の保存容器装着リング状突起４２２が、内容物流入口３４の保存容器装着溝３４６に結合されるようにする。
【００６９】
次いで、前記ポンプ５０の上部に分配板６０を結合する。この際、図６に示すように、分配板６０のガイド突起６６が、内容物排出フレーム３０のガイド凹部３６に挿入されるようにする。
【００７０】
次いで、前記分配板６０の密閉溝６４に密閉リング６８を嵌め込んだ後、分配板６０の上部に、排出板７０と固定具９０とを順次装着する。
【００７１】
次いで、このように組み立てられた内容物排出フレーム３０を、固定部材８０の下側に結合させる。この際、前記固定部材８０の排出板ホール８２に固定具９０が挿入されるとともに、固定部材８０の装着突起８８が内容物排出フレーム３０の装着溝３８に結合されるようにする。
【００７２】
最後に、前記固定部材８０を、一側に容器蓋２０がヒンジ結合された容器本体１０に結合するとともに、内容物排出フレーム３０及び内容物保存容器４０が、それぞれ、容器本体１０のフレーム装着凹部１４及び保存容器装着孔１６に装着されるようにすることにより、本発明による、ポンプの側面に水平に内容物保存容器が結合されたコンパクト容器の組立を完了する。
【００７３】
このような方法で組み立てられた、ポンプの側面に、水平に内容物保存容器が結合されたコンパクト容器の使用は、次のとおりである。
【００７４】
図７は、本発明による、ポンプの側面に、水平に内容物保存容器が結合されたコンパクト容器についての排出板を押圧する様子を示す、Ａ−Ａ線に沿った断面図であり、図８は、本発明による、ポンプの側面に水平に内容物保存容器が結合されたコンパクト容器についての、押圧が解除された様子を示す、Ａ−Ａ線に沿った断面図である。
【００７５】
本発明による、ポンプの側面に水平に内容物保存容器が結合されたコンパクト容器を使うためには、まず、多数の排出口７１が形成された排出板７０の上面を、垂直に加圧する。
【００７６】
前記排出板７０が垂直に加圧されたならば、図７に示すように、前記排出板７０に結合された分配板６０が、加圧されて一緒に下側へと移動し、前記分配板６０に結合されたポンプ５０の上下移動部材５６が、下側へと移動することになる。
【００７７】
前記上下移動部材５６が下側へ移動することによって、上下移動部材５６の下側に結合されているピストン５４も、一緒に下側へと移動する。この際、ピストンリング５５がシリンダー５１の内側面に密着しているので、前記ピストン５４のみ下側に移動することで、ピストン５４とピストンリング５５との間に隙間が発生して、内容物の排出通路が形成される。
【００７８】
その後、上下移動部材５６を押し続ければ、ピストンリング５５が上下移動部材５６に接触してピストン５４と一緒に下側へと移動することによって、シリンダー５１の内部容積が減少するのであり、これによって、シリンダー５１内に収容されていた内容物が、ピストン５４とピストンリング５５との間から出て来て、前記ピストン５４の内部を通過した後、前記分配板６０の排出流路６２を通って、排出板７０の排出口７１へと排出される。
【００７９】
これと同時に、シリンダー５１内の吐出圧力によって、チェックバルブ５２が、前記シリンダー５１の底面に形成された内容物吸入孔５８を閉鎖させる。
【００８０】
その後、前記排出板７０への加圧を解除すれば、図８に示すように、上下移動部材５６を弾性的に支持する弾性部材５７の弾性によって、上下移動部材５６が上側へと移動し、前記上下移動部材５６の下側に結合されているピストン５４が、上側へと移動する。この際、前記ピストン５４の下端の外側に形成された拡張リング状突起５４１が、ピストンリング５５を上方に引き上げることによって、ピストン５４とピストンリング５５との間の隙間が塞がり、前記ピストン５４とピストンリング５５が、一緒に上側に移動することで、シリンダー５１の内部容積が増加して真空圧が発生する。
【００８１】
前記シリンダー５１の内部で発生した真空圧によって、チェックバルブ５２が持ち上げられ、シリンダー５１の底面に形成された内容物吸入孔５８が開放されるのであり、これによって、内容物保存容器４０の内部に収容されていた内容物が、前記シリンダー５１の内容物移動通路５１４を通り、内容物吸入孔５８を通じてシリンダー５１の内部に流入するとともに、前記内容物保存容器４０の内部に取り付けられた押圧板４６が、前方へと移動することになる。
【００８２】
以上、本発明で説明したものはポンプの側面に水平に内容物保存容器が結合されたコンパクト容器を実施するための一実施例に過ぎないもので、本発明は前記一実施例に限定されるものではない。添付の請求範囲で請求するように、本発明の要旨を逸脱せずに本発明が属する分野で通常の知識を有する者であれば誰でも多様な変更実施が可能な範囲まで本発明の範囲に属するものとして見なされなければならないであろう。
【符号の説明】
【００８３】
１０    容器本体
１４    フレーム装着凹部
１６    保存容器装着孔
２０    容器蓋
３０    内容物排出フレーム
３２    ポンプ装着部
３４    内容物流入口
３６    ガイド凹部
４０    内容物保存容器
４２    注入口
５０    ポンプ
５１    シリンダー
６０    分配板
６６    ガイド突起
７０    排出板
８０    固定部材
８２    排出板ホール
８４    パフ内蔵空間
９０    固定具
Ｐ      パフ
【図１】
0006698814.tif 000002
【図２】
0006698814.tif 000003
【図３】
0006698814.tif 000004
【図４】
0006698814.tif 000005
【図５】
0006698814.tif 000006
【図６】
0006698814.tif 000007
【図７】
0006698814.tif 000008
【図８】
0006698814.tif 000009